(57)【要約】【課題】制御の複雑化を招くことなく、かつ、屋内や車内で使用しても自己点滅の問題を解消可能な照明装置を提供する。【解決手段】この照明装置では、受光センサ３が検知する特定の波長領域(４８０〜５２０ｎｍ)の光は、光源２が発生する照明光の分光スペクトルＫ１の谷部に相当している。よって、受光センサ３に光源２からの光が入射しても、受光センサ３は光源２からの入射光をほとんど検知しない。したがって、受光センサ３は、照明装置自身の光源２による照明光については検知せずに、自然光による照明空間の明るさを選択的に検知する。したがって、光源２の発する照明光でもって受光センサ３,光源制御部４,５が反応して光源２が消灯させられるという自己点滅動作の発生を回避できる。【選択図】図１
2010192201.tif 000002
【特許請求の範囲】
【請求項１】
光源と、
特定の波長領域の光を検知する一方、上記特定の波長領域以外の波長の光を検知せず、上記検知した光の光量を表す光量信号を出力する受光センサと、
上記受光センサから上記光量信号が入力されると共に上記光量信号が表す光量が予め定められた設定値以下であると判断したときに上記光源を点灯させる一方、上記光量信号が表す光量が上記予め定められた設定値を越えていると判断したときに上記光源を消灯させる光源制御部とを備え、
上記光源が発生する光は、上記特定の波長領域において谷部となっている分光スペクトル特性を有していることを特徴とする照明装置。
【請求項２】
請求項１に記載の照明装置において、
上記特定の波長領域は、可視光領域であることを特徴とする照明装置。
【請求項３】
請求項１または２に記載の照明装置において、
上記受光センサが検知する上記特定の波長領域は、４８０ｎｍから５２０ｎｍの間の波長領域であり、
上記光源は、
発光波長が４８０ｎｍより短い青色ＬＥＤと、上記青色ＬＥＤが発生する光を受けて、５２０ｎｍより長い波長に分光スペクトル特性のピークを持つ光を発光する蛍光体とを組み合わせて構成した白色ＬＥＤであることを特徴とする照明装置。
【請求項４】
請求項１または２に記載の照明装置において、
上記受光センサが検知する上記特定の波長領域は、４８０ｎｍから５２０ｎｍの間の波長領域であり、
上記光源は、
発光波長が４８０ｎｍよりも短い青色ＬＥＤと、発光波長が５２０ｎｍよりも長い黄色ＬＥＤとを組み合わせた白色ＬＥＤであることを特徴とする照明装置。
【請求項５】
請求項１または２に記載の照明装置において、
上記受光センサが検知する上記特定の波長領域は、４８０ｎｍから５２０ｎｍの間の波長領域、または、５６０ｎｍから６００ｎｍの間の波長領域であり、
上記光源は、
発光波長が４８０ｎｍよりも短い青色ＬＥＤと、５２０ｎｍから５６０ｎｍの間の波長領域で発光する緑色ＬＥＤと、発光波長が６００ｎｍよりも長い赤色ＬＥＤとを組み合わせた白色ＬＥＤであることを特徴とする照明装置。
【請求項６】
請求項１または２に記載の照明装置において、
上記光源は、
発光波長が４００ｎｍよりも短い紫外線を発光する紫外ＬＥＤと、
上記紫外ＬＥＤの光を受けて複数の波長で発光する蛍光体とを組み合わせた白色ＬＥＤであることを特徴とする照明装置。
【請求項７】
請求項１または２に記載の照明装置において、
上記受光センサが検知する上記特定の波長領域は、５００ｎｍから５４０ｎｍの間の波長領域であり、
上記光源は、
発光波長のピークが５００ｎｍよりも短い青色と、発光波長が５４０ｎｍよりも長い黄色との２色で発光する有機ＥＬ素子であることを特徴とする照明装置。
【請求項８】
請求項１または２に記載の照明装置において、
上記受光センサが検知する上記特定の波長領域は、４８０ｎｍから５２０ｎｍの間の波長領域であり、
上記光源は、
発光波長のピークが４８０ｎｍよりも短い青色と、発光波長が５２０ｎｍよりも長い緑色と赤色の３色で発光する有機ＥＬ素子であることを特徴とする照明装置。
【請求項９】
請求項１または２に記載の照明装置において、
上記光源は、
複数の波長領域で分光スペクトル特性の山部を持つ蛍光灯であることを特徴とする照明装置。
【請求項１０】
請求項１または２に記載の照明装置において、
上記光源は、
複数の波長領域で分光スペクトル特性の山部を持つ高輝度放電ランプであることを特徴とする照明装置。
【請求項１１】
請求項１に記載の照明装置において、
上記特定の波長領域は、可視光領域の波長領域を１つ以上含む、２つ以上の波長領域を含んでいることを特徴とする照明装置。
【請求項１２】
請求項１から１１のいずれか１つに記載の照明装置において、
上記受光センサは、
上記特定の波長領域の光を選択的に透過する光学フィルタと、
上記光学フィルタを透過した光を受光する受光素子とを有することを特徴とする照明装置。
【発明の詳細な説明】
【技術分野】
【０００１】
この発明は、周囲の照度が所定照度よりも小さい(暗い)場合に点灯制御される光源を備えた照明装置に関する。
【背景技術】
【０００２】
従来、周囲照度を検出する照度センサと、周囲照度が所定照度よりも小さい(暗い)場合に点灯制御される光源を備えた照明装置は、屋外灯などで実用化され、一般に広く知られている。
【０００３】
ところで、この種の照明装置では、光源からの光が照度センサに入射することで光源を消灯させてしまい、光源が点滅動作を繰り返すという自己点滅問題がある。
【０００４】
そこで、この問題を解決するために、光源からの光が照度センサに入射し難い構造にして、光源が消灯から点灯に移行する時の判定照度を光源が点灯から消灯に移行する時の判定照度よりも小さくしてヒステリシスを持たせて対応している。
【０００５】
しかし、この場合でも、小型のセンサ内蔵型の照明装置では、光源と照度センサとの間の距離が近くなるので、この照明装置の近くに物を置いた場合などに光源からの反射光が照度センサに入射することとなる。したがって、この反射光が自己点滅の誘因になって、上記自己点滅の問題についての根本的な解決とはなっていない。
【０００６】
そこで、この自己点滅の問題を解決する方法として、特許文献１(特開２００３−１６３０８９号公報)の照明装置では、光源を間欠パルス動作させると共にこの間欠区間を照度センサの照度判定タイミングとすることで光源からの反射光の影響を回避している。しかし、この照明装置では、制御システムが複雑になり、装置の大型化とコストアップの要因となる。
【０００７】
また、特許文献２(特開２００１−４４８１５号公報)では、照度センサの受光感度を可視光領域と赤外光領域で分けることが提案されており、赤外光領域での感度を高めた照明センサとして、照明光には反応せず太陽光にのみ反応させる照度センサとしている。
【０００８】
しかし、紫外線や赤外線のような可視光以外の波長をカットするガラスが住宅やオフィス、自動車などで使用されているので、屋内や車内で使用する照明装置では、特許文献２の照明センサを適用できない場合がある。
【先行技術文献】
【特許文献】
【０００９】
【特許文献１】特開２００３−１６３０８９号公報
【特許文献２】特開２００１−４４８１５号公報
【発明の概要】
【発明が解決しようとする課題】
【００１０】
そこで、この発明の課題は、制御の複雑化を招くことなく、かつ、屋内や車内で使用しても自己点滅動作を解消可能な照明装置を提供することにある。
【課題を解決するための手段】
【００１１】
上記課題を解決するため、この発明の照明装置は、光源と、
特定の波長領域の光を検知する一方、上記特定の波長領域以外の波長の光を検知せず、上記検知した光の光量を表す光量信号を出力する受光センサと、
上記受光センサから上記光量信号が入力されると共に上記光量信号が表す光量が予め定められた設定値以下であると判断したときに上記光源を点灯させる一方、上記光量信号が表す光量が上記予め定められた設定値を越えていると判断したときに上記光源を消灯させる光源制御部とを備え、
上記光源が発生する光は、上記特定の波長領域において谷部となっている分光スペクトル特性を有していることを特徴としている。
【００１２】
この発明の照明装置によれば、上記受光センサが検知する特定の波長領域の光は、上記光源が発生する照明光の分光スペクトルの谷部に相当している。よって、上記受光センサに上記光源からの光が入射しても、上記受光センサは、上記光源からの入射光をほとんど検知しない。したがって、受光センサは、照明装置自身の光源による照明光については検知せずに、自然光による照明空間の明るさを選択的に検知する。したがって、光源の発する照明光でもって受光センサ,光源制御部が反応して光源が消灯させられるという自己点滅動作の発生を回避できる。
【００１３】
よって、この発明によれば、自己点滅動作の発生を回避しつつ、受光センサが選択的に検知した自然光による照明空間の明るさに応じて、光源制御部で光源の点灯と消灯を制御できる。
【００１４】
また、一実施形態の照明装置では、上記特定の波長領域は、可視光領域である。
【００１５】
この実施形態の照明装置では、上記受光センサが検知する特定の波長領域が可視光領域であるので、自然光の可視光領域の光による照明空間の明るさに応じて光源制御部で光源の点灯と消灯を制御できる。
【００１６】
また、一実施形態の照明装置では、上記受光センサが検知する上記特定の波長領域は、４８０ｎｍから５２０ｎｍの間の波長領域であり、
上記光源は、
発光波長が４８０ｎｍより短い青色ＬＥＤと、上記青色ＬＥＤが発生する光を受けて、５２０ｎｍより長い波長に分光スペクトル特性のピークを持つ光を発光する蛍光体とを組み合わせて構成した白色ＬＥＤである。
【００１７】
この実施形態の照明装置では、上記光源は、上記青色ＬＥＤと蛍光体との組み合わせで構成した白色ＬＥＤでもって照明空間を照明できる。そして、上記受光センサが検知する４８０ｎｍから５２０ｎｍの間の波長領域の光は、上記光源が発生する照明光の分光スペクトルの谷部に相当している。よって、上記受光センサに上記光源からの光が入射しても、上記受光センサは、上記光源からの入射光をほとんど検知しない。
【００１８】
したがって、上記受光センサは、上記白色ＬＥＤである光源による照明光については検知しないで自己点滅動作の発生を回避しつつ、選択的に検知した自然光による照明空間の明るさに応じて、光源制御部でもって光源の点灯と消灯を制御できる。
【００１９】
また、一実施形態の照明装置では、上記受光センサが検知する上記特定の波長領域は、４８０ｎｍから５２０ｎｍの間の波長領域であり、
上記光源は、
発光波長が４８０ｎｍよりも短い青色ＬＥＤと、発光波長が５２０ｎｍよりも長い黄色ＬＥＤとを組み合わせた白色ＬＥＤである。
【００２０】
この実施形態の照明装置では、上記光源は、上記青色ＬＥＤと黄色ＬＥＤとを組合せた白色ＬＥＤでもって照明空間を照明できる。そして、上記受光センサが検知する４８０ｎｍから５２０ｎｍの間の波長領域の光は、上記光源が発生する照明光の分光スペクトルの谷部に相当している。よって、上記受光センサに上記光源からの光が入射しても、上記受光センサは、上記光源からの入射光をほとんど検知しない。
【００２１】
したがって、上記受光センサは、自然光を選択的に検知すると共に上記白色ＬＥＤである光源による照明光については検知しないから、自己点滅動作の発生を回避しつつ、受光センサが選択的に検知した自然光による照明空間の明るさに応じて、光源制御部でもって光源の点灯と消灯を制御できる。
【００２２】
また、一実施形態の照明装置では、上記受光センサが検知する上記特定の波長領域は、４８０ｎｍから５２０ｎｍの間の波長領域、または、５６０ｎｍから６００ｎｍの間の波長領域であり、
上記光源は、
発光波長が４８０ｎｍよりも短い青色ＬＥＤと、５２０ｎｍから５６０ｎｍの間の波長領域で発光する緑色ＬＥＤと、発光波長が６００ｎｍよりも長い赤色ＬＥＤとを組み合わせた白色ＬＥＤである。
【００２３】
この実施形態の照明装置によれば、上記光源は、上記青色ＬＥＤと緑色ＬＥＤと赤色ＬＥＤとを組み合わせた白色ＬＥＤでもって照明空間を照明できる。そして、上記受光センサが検知する４８０ｎｍ〜５２０ｎｍの間の波長領域、５６０ｎｍ〜６００ｎｍの間の波長領域の光は、上記光源が発生する照明光の分光スペクトルの谷部に相当している。よって、上記受光センサに上記光源からの光が入射しても、上記受光センサは、上記光源からの入射光をほとんど検知しない。
【００２４】
したがって、上記受光センサは、自然光を選択的に検知すると共に上記白色ＬＥＤである光源による照明光については検知しないから、自己点滅動作の発生を回避しつつ、自然光による照明空間の明るさに応じて、光源制御部でもって光源の点灯と消灯を制御できる。
【００２５】
また、一実施形態の照明装置では、上記光源は、
発光波長が４００ｎｍよりも短い紫外線を発光する紫外ＬＥＤと、
上記紫外ＬＥＤの光を受けて複数の波長で発光する蛍光体とを組み合わせた白色ＬＥＤである。
【００２６】
この実施形態の照明装置によれば、上記光源は、上記紫外ＬＥＤと蛍光体とを組み合わせた白色ＬＥＤでもって照明空間を照明できる。そして、上記受光センサが検知する特定の波長領域の光は、上記光源が発生する照明光の分光スペクトルの谷部に相当している。よって、上記受光センサに上記光源からの光が入射しても、上記受光センサは、上記光源からの入射光をほとんど検知しない。
【００２７】
したがって、上記受光センサは、自然光を選択的に検知すると共に上記白色ＬＥＤである光源による照明光については検知しないから、自己点滅動作の発生を回避しつつ、上記受光センサが検出した自然光による照明空間の明るさに応じて、光源制御部でもって光源の点灯と消灯を制御できる。
【００２８】
また、一実施形態の照明装置では、上記受光センサが検知する上記特定の波長領域は、５００ｎｍから５４０ｎｍの間の波長領域であり、
上記光源は、
発光波長のピークが５００ｎｍよりも短い青色と、発光波長が５４０ｎｍよりも長い黄色との２色で発光する有機ＥＬ素子である。
【００２９】
この実施形態の照明装置によれば、上記光源は、上記有機ＥＬ素子による青色と黄色の２色の発光でもって、照明空間を照明できる。そして、上記受光センサが検知する５００ｎｍから５４０ｎｍの間の波長領域の光は、上記有機ＥＬ素子による光源が発生する照明光の分光スペクトルの谷部に相当している。よって、上記受光センサに上記光源からの光が入射しても、上記受光センサは、上記光源からの入射光をほとんど検知しないから、自己点滅動作の発生を回避しつつ、上記受光センサが検出した自然光による照明空間の明るさに応じて、光源制御部でもって光源の点灯と消灯を制御できる。
【００３０】
また、一実施形態の照明装置では、上記受光センサが検知する上記特定の波長領域は、４８０ｎｍから５２０ｎｍの間の波長領域であり、
上記光源は、
発光波長のピークが４８０ｎｍよりも短い青色と、発光波長が５２０ｎｍよりも長い緑色と赤色の３色で発光する有機ＥＬ素子である。
【００３１】
この実施形態の照明装置によれば、上記光源は、上記有機ＥＬ素子による青色と緑色と黄色の３色の発光でもって、照明空間を照明できる。そして、上記受光センサが検知する４８０ｎｍから５２０ｎｍの間の波長領域の光は、上記有機ＥＬ素子による光源が発生する照明光の分光スペクトルの谷部に相当している。よって、上記受光センサは、上記光源からの入射光をほとんど検知しないから、自己点滅動作の発生を回避しつつ、上記受光センサが検出した自然光による照明空間の明るさに応じて、光源制御部でもって光源の点灯と消灯を制御できる。
【００３２】
また、一実施形態の照明装置では、上記光源は、複数の波長領域で分光スペクトル特性の山部を持つ蛍光灯である。
【００３３】
この実施形態の照明装置によれば、上記光源は、上記蛍光灯による複数の山部を持つ分光スペクトル特性の発光でもって、照明空間を照明できる。そして、上記受光センサが検知する特定の波長領域の光は、上記蛍光灯による光源が発生する照明光の分光スペクトルの谷部に相当している。よって、上記受光センサは、上記光源からの入射光をほとんど検知しないから、自己点滅動作の発生を回避しつつ、上記受光センサが検出した自然光による照明空間の明るさに応じて、光源制御部でもって光源の点灯と消灯を制御できる。
【００３４】
また、一実施形態の照明装置では、上記光源は、複数の波長領域で分光スペクトル特性の山部を持つ高輝度放電ランプである。
【００３５】
この実施形態の照明装置によれば、上記光源は、上記高輝度放電ランプによる複数の山部を持つ分光スペクトル特性の発光でもって、照明空間を照明できる。そして、上記受光センサが検知する特定の波長領域の光は、上記高輝度放電ランプによる光源が発生する照明光の分光スペクトルの谷部に相当しているので、上記受光センサは上記光源からの入射光をほとんど検知しない。よって、自己点滅動作の発生を回避しつつ、上記受光センサが検出した自然光による照明空間の明るさに応じて、光源制御部でもって光源の点灯と消灯を制御できる。
【００３６】
また、一実施形態の照明装置では、上記特定の波長領域は、可視光領域の波長領域を１つ以上含む、２つ以上の波長領域を含んでいる。
【００３７】
この実施形態の照明装置によれば、上記受光センサは、可視光領域の波長領域を含む複数の波長領域を含む特定の波長領域の光を検知するから、自然光による光量をより正確に検出可能になる。
【００３８】
また、一実施形態の照明装置では、上記受光センサは、
上記特定の波長領域の光を選択的に透過する光学フィルタと、
上記光学フィルタを透過した光を受光する受光素子とを有する。
【００３９】
この実施形態の照明装置によれば、上記受光素子は、上記光学フィルタが選択的に透過させた上記特定の波長領域の光だけを受光することで、上記特定の波長領域以外の波長の光を検知しないようにできる。
【発明の効果】
【００４０】
この発明の照明装置によれば、光源の発する光の波長と異なる波長を受光センサで検知することにより、光源と受光センサを近接して設置する必要のある小型のセンサ一体型照明装置であっても、光源の発する光による自己点滅動作を防ぎつつ、照明空間の自然光による明るさによって点灯と消灯を行う照明装置を実現できる。
【図面の簡単な説明】
【００４１】
【図１】この発明の照明装置の第１実施形態を模式的に示す模式図である。
【図２】上記第１実施形態が有する光源(白色ＬＥＤ)２の分光スペクトル特性Ｋ１を示す分光特性図である。
【図３】上記第１実施形態が有する光学フィルタ３Ａの分光透過特性Ｋ２を示す透過特性図である。
【図４】自然光８の分光スペクトルを示す分光特性図である。
【図５Ａ】この発明の照明装置の第２実施形態が有する光源(白色ＬＥＤ)２２を模式的に示す模式図である。
【図５Ｂ】この発明の照明装置の第３実施形態が有する光源(白色ＬＥＤ)３２を模式的に示す模式図である。
【図５Ｃ】この発明の照明装置の第４実施形態が有する光源(白色ＬＥＤ)４２を模式的に示す模式図である。
【図６】上記第２実施形態が有する光源２２の分光スペクトル特性Ｋ２２を示す分光特性図である。
【図７】上記第３実施形態が有する光源３２の分光スペクトル特性Ｋ３２を示す分光特性図である。
【図８】上記第３実施形態が有する光学フィルタ３Ａのもう１つの分光透過特性Ｋ７を示す透過特性図である。
【図９】上記第４実施形態が有する光源４２の分光スペクトルＫ４２を示す分光特性図である。
【図１０】この発明の照明装置の第５実施形態を模式的に示す模式図である。
【図１１】この発明の照明装置の第６実施形態を模式的に示す模式図である。
【図１２】上記第６実施形態が有する光源(蛍光灯)６２の分光スペクトル特性Ｋ６２を示す分光特性図である。
【図１３】この発明の照明装置の第７実施形態を模式的に示す模式図である。
【図１４】上記第７実施形態が有する光源(高輝度放電ランプ)７２の分光スペクトル特性Ｋ７２を示す分光特性図である。
【発明を実施するための形態】
【００４２】
以下、この発明を図示の実施の形態により詳細に説明する。
【００４３】
(第１の実施の形態)
図１は、この発明の照明装置の第１実施形態を模式的に示す模式図である。図１に示すように、この照明装置１は、光源２と受光センサ３と制御回路４と駆動回路５を備えている。照明装置１は、例えば、室内の天井等に設置されている。上記制御回路４と駆動回路５が光源制御部を構成している。
【００４４】
上記光源２は、図２に実線で表す分光スペクトル特性Ｋ１を持った白色ＬＥＤである。この白色ＬＥＤからなる光源２は、４８０ｎｍより短い波長の光を発する青色ＬＥＤ２Ａと、この青色ＬＥＤ２Ａの光を受けて５２０ｎｍより長い波長で発光する蛍光体２Ｂとを組み合わせて構成されている。この光源２は、駆動回路５から供給される電流で発光し、照明空間６を照らす照明光７を発光する。
【００４５】
図２に示すように、上記光源２の分光スペクトル特性Ｋ１は、上記受光センサ３が検知する特定の波長領域としての波長４８０ｎｍから波長５２０ｎｍの領域において谷部となっている。
【００４６】
また、上記受光センサ３は、上記照明空間(例えば室内)６の光量を測定するもので、光学フィルタ３Ａと受光素子３Ｂとを組合せて構成されている。上記光学フィルタ３Ａは、図３に示すように、特定の波長領域としての波長４８０ｎｍから波長５２０ｎｍの間の光を通す分光透過特性Ｋ２を有する。この受光センサ３の受光素子３Ｂは、光学フィルタ３Ａを透過した光を受光して、上記照明空間６からの光量を表す光量信号としての受光電気信号を発生し、この受光電気信号は制御回路４に伝送される。
【００４７】
そして、この制御回路４は、受光センサ３から伝送された受光電気信号に基づいて、上記受光センサ３が受光した光量を判断し、上記受光光量が予め設定された設定値以下になったと判断した場合に、上記白色ＬＥＤからなる光源２を点灯させるための点灯制御信号を駆動回路５に出力する。一方、上記制御回路４は、上記受光光量が予め設定された設定値を越えたと判断した場合に、上記白色ＬＥＤからなる光源２を消灯させるための消灯制御信号を駆動回路５に出力する。
【００４８】
そして、上記駆動回路５は、制御回路４から上記消灯制御信号を受けたときに上記光源(白色ＬＥＤ)２を消灯させる一方、制御回路４から上記点灯制御信号を受けたときに上記光源(白色ＬＥＤ)２を点灯させる。
【００４９】
この実施形態の照明装置によれば、光源２の発する照明光７が直接に受光センサ３に入射する、または照明光７が照明空間６で反射して受光センサ３に入射した場合に、図２の分光スペクトル特性Ｋ１の照明光７は図３の分光透過特性Ｋ２を有する光学フィルタ３Ａで遮られて受光素子３Ｂに入るまでに大きく減衰する。したがって、光源２の発する照明光７が受光センサ３に入射した場合に、受光光量が設定値を越えることが回避されて、制御回路４が消灯制御信号を出力することを防止できる。
【００５０】
したがって、この実施形態の照明装置によれば、光源２の発する照明光７でもって受光センサ３,制御回路４,駆動回路５が反応して光源２が消灯させられるという自己点滅動作の発生を回避できる。
【００５１】
一方、自然光８は、図４に例示するように可視光領域の全ての波長に亘って相対強度が６０％以上の分光スペクトルを持っている。したがって、図１に例示の如く、窓から差し込んだ自然光８が照明空間６を照らしている場合は、受光センサ３の光学フィルタ３Ａに波長４００ｎｍ〜８００ｎｍに亘って相対強度が６０％以上の分光スペクトルを有する光が入射することとなる。これにより、光学フィルタ３Ａを透過した波長４８０ｎｍ〜５２０ｎｍの光が受光素子３Ｂに入射し、受光素子３Ｂは上記透過した光の光量に応じた受光電気信号を制御回路４に伝送する。
【００５２】
したがって、上記受光センサ３は、照明装置自身の光源２による照明光７については検知せずに、自然光８による室内の明るさを選択的に検知する。したがって、自己点滅動作の発生を回避しつつ、受光センサ３が選択的に検知した自然光８による室内の明るさに応じて、制御回路４と駆動回路５によって光源２の点灯と消灯を制御できる。
【００５３】
(第２の実施の形態)
次に、この発明の照明装置の第２実施形態を説明する。この第２実施形態は、図１に示す光源２に替えて図５Ａに示す光源２２を有する点だけが、前述の第１実施形態と異なる。図５Ａに示すように、この光源２２は、白色ＬＥＤであり、発光波長が４８０ｎｍよりも短い青色ＬＥＤと発光波長が５２０ｎｍよりも長い黄色ＬＥＤの二種類を組み合わせて構成されている。したがって、この光源２２は、図６に示すように、青色の波長領域と黄色の波長領域とでピークを有する分光スペクトル特性Ｋ２２を有している。
【００５４】
これにより、この第２実施形態において、光源２２の分光スペクトル特性Ｋ２２は、光学フィルタ３Ａの図３に示す分光透過特性Ｋ２の透過領域(４８０ｎｍ〜５２０ｎｍ)では相対強度が２０％以下になって谷部となっている。つまり、前述の第１実施形態と同様に、光学フィルタ３Ａでもって光源２２による照明光を遮ることができる。よって、この第２実施形態の照明装置においても、前述の第１実施形態と同様に、上記受光センサ３は、照明装置自身の光源２２による照明光７については検知せずに、自然光８による室内の明るさを選択的に検知することができる。したがって、自己点滅動作の発生を回避しつつ、受光センサ３が選択的に検知した自然光８による室内の明るさに応じて、制御回路４と駆動回路５によって光源２２の点灯と消灯を制御できる。
【００５５】
(第３の実施の形態)
次に、この発明の照明装置の第３実施形態を説明する。この第３実施形態は、図１に示す光源２に替えて図５Ｂに示す光源３２を有する点だけが、前述の第１実施形態と異なる。図５Ｂに示すように、この光源３２は、白色ＬＥＤであり、発光波長が４８０ｎｍより短い青色ＬＥＤと、波長５２０ｎｍから５６０ｎｍの間で発光する緑色ＬＥＤと、波長が６００ｎｍより長い赤色ＬＥＤの三種類のＬＥＤを組み合わせて構成されている。
【００５６】
したがって、この光源３２は、図７に示すように、青色の波長領域と緑色の波長領域と赤色の波長領域でピークを有する分光スペクトル特性Ｋ３２を有している。
【００５７】
これにより、この第３実施形態において、光源３２の分光スペクトルＫ３２は、光学フィルタ３Ａの図３に示す分光透過特性Ｋ２の透過領域(４８０ｎｍ〜５２０ｎｍ)では相対強度が１０％以下になって谷部となっている。つまり、前述の第１実施形態と同様に、光学フィルタ３Ａでもって光源３２による照明光を遮ることができる。
【００５８】
よって、この第３実施形態の照明装置においても、前述の第１実施形態と同様に、上記受光センサ３は、照明装置自身の光源３２による照明光７については検知せずに、自然光８による室内の明るさを選択的に検知することができる。したがって、自己点滅動作の発生を回避しつつ、受光センサ３が選択的に検知した自然光８による室内の明るさに応じて、制御回路４と駆動回路５によって光源３２の点灯と消灯を制御できる。
【００５９】
なお、この第３実施形態において、前述の光学フィルタ３Ａが、図３に示す分光透過特性Ｋ２に替えて、図８に示すような透過領域が波長５８０ｎｍから波長６００ｎｍである分光透過特性Ｋ７を有していてもよい。この場合にも、光学フィルタ３Ａの透過領域を、光源３２の分光スペクトル特性Ｋ３２の相対強度の谷の領域に対応させて、光学フィルタ３Ａでもって光源３２による照明光を遮ることができ、自己点滅動作の発生を回避できる。
【００６０】
(第４の実施の形態)
次に、この発明の照明装置の第４実施形態を説明する。この第４実施形態は、図１に示す光源２に替えて図５Ｃに示す光源４２を有する点だけが、前述の第１実施形態と異なる。図５Ｃに示すように、この光源４２は、白色ＬＥＤであり、発光波長が４００ｎｍより短い紫外線を発光する紫外ＬＥＤ４２Ａと、上記紫外ＬＥＤ４２Ａの光を受けて複数の波長で発光する蛍光体４２Ｂとを組み合わせて構成されている。
【００６１】
したがって、この光源４２は、図９に示すように、紫外線領域、青色領域、緑色領域、赤色領域等の複数の波長領域でピークを有する分光スペクトルＫ４２を有している。
【００６２】
これにより、この第４実施形態において、光源４２の分光スペクトルＫ４２は、光学フィルタ３Ａの図３に示す分光透過特性Ｋ２の透過領域(４８０ｎｍ〜５２０ｎｍ)では相対強度が２０％以下になって谷部となっている。つまり、前述の第１実施形態と同様に、光学フィルタ３Ａでもって光源４２による照明光を遮ることができる。
【００６３】
よって、この第４実施形態の照明装置においても、前述の第１実施形態と同様に、上記受光センサ３は、照明装置自身の光源４２による照明光７については検知せずに、自然光８による室内の明るさを選択的に検知することができる。したがって、自己点滅動作の発生を回避しつつ、受光センサ３が選択的に検知した自然光８による室内の明るさに応じて、制御回路４と駆動回路５によって光源４２の点灯と消灯を制御できる。
【００６４】
(第５の実施の形態)
次に、図１０を参照して、この発明の照明装置の第５実施形態を説明する。この第５実施形態は、図１０に示すように、図１に示す照明装置１の白色ＬＥＤからなる光源２に替えて、有機ＥＬからなる光源５２を有する点だけが、前述の第１実施形態と異なる。よって、この第５実施形態では、前述の第１実施形態と異なる点を主に説明する。
【００６５】
上記光源５２をなす有機ＥＬは、原理的に共役結合の実効長を分子構造設計によって変化させられるので、任意のエネルギーの励起子すなわち任意の波長の光を取り出すことが可能である。よって、この光源５２は、有機ＥＬからなることにより、前述の第２、第３実施形態の照明装置が有した光源２２、３２の図６、図７の分光スペクトル特性Ｋ２２、Ｋ３２と同等の分光スペクトル特性を持った光源とすることが可能になる。
【００６６】
よって、この第５実施形態によれば、前述の第２、第３実施形態と同様に、光源５２の発する光による自己点滅動作を防ぎつつ、照明空間６の明るさに応じて点灯と消灯を行う照明装置を実現できる。
【００６７】
(第６の実施の形態)
次に、図１１を参照して、この発明の照明装置の第６実施形態を説明する。この第６実施形態は、図１１に示すように、図１に示す照明装置１の白色ＬＥＤからなる光源２に替えて、蛍光灯からなる光源６２を有する点、および、光学フィルタ３Ａに替えて、光学フィルタ３３Ａを有する点が、前述の第１実施形態と異なる。よって、この第５実施形態では、前述の第１実施形態と異なる点を主に説明する。
【００６８】
上記光源６２をなす蛍光灯は、図１２に例示するような複数の波長領域で山部を持つ分光スペクトル特性Ｋ６２を有する。そして、この第６実施形態が有する光学フィルタ３３Ａは、光源(蛍光灯)６２が発光しない分光スペクトル特性Ｋ６２の谷部をなす波長領域(例えば波長５００ｎｍから波長５３０ｎｍの間の領域)を透過領域としている。したがって、この第６実施形態では、受光センサ３は、照明装置自身の光源６２による照明光７については検知せずに、自然光８による室内の明るさを選択的に検知する。したがって、自己点滅動作の発生を回避しつつ、受光センサ３が選択的に検知した自然光８による室内の明るさに応じて、制御回路４と駆動回路５で光源６２の点灯と消灯を制御できる。
【００６９】
(第７の実施の形態)
次に、図１３を参照して、この発明の照明装置の第７実施形態を説明する。この第７実施形態は、図１３に示すように、図１に示す照明装置１の白色ＬＥＤからなる光源２に替えて、ＨＩＤランプ(高輝度放電ランプ)からなる光源７２を有する点、および、光学フィルタ３Ａに替えて、光学フィルタ７３Ａを有する点が、前述の第１実施形態と異なる。よって、この第７実施形態では、前述の第１実施形態と異なる点を主に説明する。
【００７０】
上記光源７２をなすＨＩＤランプ(高輝度放電ランプ)は、図１４に例示するような複数の波長領域で山部を持つ分光スペクトル特性Ｋ７２を有する。そして、この第７実施形態が有する光学フィルタ７３Ａは、光源(ＨＩＤランプ)７２が発光しない分光スペクトル特性Ｋ７２の谷部に相当する波長領域(例えば波長５１０ｎｍから波長５２０ｎｍの間の領域)を透過領域としている。したがって、この第７実施形態では、受光センサ３は、照明装置自身の光源７２による照明光７については検知せずに、自然光８による室内の明るさを選択的に検知する。したがって、自己点滅動作の発生を回避しつつ、受光センサ３が選択的に検知した自然光８による室内の明るさに応じて、制御回路４と駆動回路５で光源７２の点灯と消灯を制御できる。
【符号の説明】
【００７１】
１  照明装置
２、２２、３２、４２、５２、６２、７２  光源
２Ａ  青色ＬＥＤ
２Ｂ  蛍光体
３  受光センサ
３Ａ、３３Ａ  光学フィルタ
３Ｂ  受光素子
４  制御回路
５  駆動回路
６  照明空間
７  照明光
８  自然光
４２Ａ  紫外ＬＥＤ
４２Ｂ  蛍光体
【図１】
2010192201.tif 000003
【図２】
2010192201.tif 000004
【図３】
2010192201.tif 000005
【図４】
2010192201.tif 000006
【図５Ａ】
2010192201.tif 000007
【図５Ｂ】
2010192201.tif 000008
【図５Ｃ】
2010192201.tif 000009
【図６】
2010192201.tif 000010
【図７】
2010192201.tif 000011
【図８】
2010192201.tif 000012
【図９】
2010192201.tif 000013
【図１０】
2010192201.tif 000014
【図１１】
2010192201.tif 000015
【図１２】
2010192201.tif 000016
【図１３】
2010192201.tif 000017
【図１４】
2010192201.tif 000018